(57)【要約】【課題】低コストで能力を向上させた空調システムを提供する。【解決手段】空調システム１Ａは、浴室１０１の天井パネル１１０に１台の主浴室空調装置２Ａと１台の副浴室空調装置２Ｂが設置される。空調システム１Ａは、主操作部４で選択された運転モードに応じて主浴室空調装置２Ａが運転されると共に、主浴室空調装置２Ａと副浴室空調装置２Ｂとの間で通信が行われ、副浴室空調装置２Ｂの運転と非運転が切り替えられて、副浴室空調装置２Ｂは、主空調装置を補助する所定の運転モードで運転される。【選択図】        図１
2008051353.tif 000002
【特許請求の範囲】
【請求項１】
室内の空気調和を行う少なくとも１台の主空調装置と少なくとも１台の副空調装置が同一の室内に設置され、
前記主空調装置で実行される運転モードに応じて、前記副空調装置の運転と非運転が切り替えられ、前記副空調装置は、前記主空調装置で実行される運転モードと同じ運転モードまたは異なる所定の運転モードで運転される
ことを特徴とする空調システム。
【請求項２】
前記主空調装置と接続される主操作手段と、
前記主操作手段で選択された運転モードに従って、前記主空調装置を制御すると共に、前記主空調装置と前記副空調装置との間で通信を行い、前記主空調装置で実行する運転モードに応じて前記副空調装置に運転の指令を行う主制御手段と、
前記主制御手段から受けた運転の指令に従って、前記副空調装置を制御する副制御手段と
を備えたことを特徴とする請求項１記載の空調システム。
【請求項３】
前記主空調装置と前記副空調装置は、空気の吹出方向が切り替えられる風向切替手段を備え、前記主空調装置と前記副空調装置で空気の吹出方向が個別に設定される
ことを特徴とする請求項１または２記載の空調システム。
【請求項４】
前記風向切替手段は、空気の吹出方向を切り替える風向調整部材と、前記風向調整部材を駆動する風向調整部材駆動手段とを備え、運転モードあるいは利用者の選択に応じて空気の吹出方向が切り替えられる
ことを特徴とする請求項３記載の空調システム。
【請求項５】
温水または水の供給を受け、ミストにして噴出する湯水噴出装置を備え、
前記湯水噴出装置でのミストの噴出に、前記主空調装置及び前記副空調装置での温風の吹き出しを連動させる
ことを特徴とする請求項１，２，３または４記載の空調システム。
【請求項６】
前記主空調装置と前記副空調装置は、浴室の天井に備えられる天井裏への点検口の両側に配置され、前記浴室の空気調和を行う
ことを特徴とする請求項１，２，３，４または５記載の空調システム。
【請求項７】
前記主空調装置は、
室内の空気を吸い込んで室内に吹き出す循環送風手段と、
前記循環送風手段で室内に吹き出す空気を加熱する加熱手段と、
室内の空気を吸い込んで屋外に吹き出す換気手段とを備え、
前記副空調装置は、
室内の空気を吸い込んで室内に吹き出す循環送風手段と、
前記循環送風手段で室内に吹き出す空気を加熱する加熱手段とを少なくとも備える
ことを特徴とする請求項１，２，３，４，５または６記載の空調システム。
【請求項８】
室内の空気調和を行う少なくとも１台の主空調装置と少なくとも１台の副空調装置が設置され、
前記主空調装置で実行される運転モードに応じて、前記副空調装置の運転と非運転が切り替えられ、前記副空調装置が、前記主空調装置で実行される運転モードと同じ運転モードまたは異なる所定の運転モードで運転される
ことを特徴とする浴室。
【請求項９】
天井裏への点検口を天井に備え、前記点検口の両側に、前記主空調装置と前記副空調装置が設置される
ことを特徴とする請求項８記載の浴室。
【請求項１０】
前記主空調装置と前記副空調装置の何れか一方は浴槽の上側に設置されると共に、前記主空調装置と前記副空調装置の他方は洗い場の上側に設置される
ことを特徴とする請求項８または９記載の浴室。
【発明の詳細な説明】
【技術分野】
【０００１】
本発明は、複数の空調装置を連動させて室内の空気調和を行う空調システム及びこの空調システムを備えた浴室に関する。
【背景技術】
【０００２】
従来より、浴室に温風を吹き出して、浴室の暖房や洗濯物等の乾燥を行う機能を備えた浴室用の空調装置が提案されている（例えば、特許文献１参照）。
【０００３】
浴室用の空調装置は、一般的に浴槽の上側の天井パネルに設置され、洗い場方向に温風を吹き出して、床面を暖められるようにすると共に、ランドリパイプに掛けられた洗濯物等に温風が当たるようにしている。
【０００４】
【特許文献１】特開２００４−１２５３７３号公報
【発明の開示】
【発明が解決しようとする課題】
【０００５】
しかし、従来の空調装置では、浴室の床面積が大きくなる等、浴室が広くなると、浴室内の全体には温風が行き渡らなくなり、暖房能力や乾燥能力が不足する虞があった。
【０００６】
また、空調装置の大出力化を図って暖房能力等を向上させるためには、大型の浴室に適用した装置を新たに開発する必要があり、コストが上昇するという問題があった。
【０００７】
本発明は、このような課題を解決するためになされたもので、低コストで能力を向上させた空調システム及びこの空調システムを備えた浴室を提供することを目的とする。
【課題を解決するための手段】
【０００８】
上述した課題を解決するため、本発明の空調システムは、室内の空気調和を行う少なくとも１台の主空調装置と少なくとも１台の副空調装置が同一の室内に設置され、主空調装置で実行される運転モードに応じて、副空調装置の運転と非運転が切り替えられ、副空調装置は、主空調装置で実行される運転モードと同じ運転モードまたは異なる所定の運転モードで運転されることを特徴とする。
【０００９】
本発明の空調システムでは、主空調装置で実行される運転モードに応じて、副空調装置の運転と非運転が切り替えられ、副空調装置は、主空調装置を補助する所定の運転モードで運転される。
【００１０】
また、本発明の浴室は、室内の空気調和を行う少なくとも１台の主空調装置と少なくとも１台の副空調装置が設置され、主空調装置で実行される運転モードに応じて、副空調装置の運転と非運転が切り替えられ、副空調装置が、主空調装置で実行される運転モードと同じ運転モードまたは異なる所定の運転モードで運転されることを特徴とする。
【００１１】
本発明の浴室では、主空調装置で実行される運転モードに応じて、副空調装置の運転と非運転が切り替えられ、副空調装置は、主空調装置を補助する所定の運転モードで運転される。
【発明の効果】
【００１２】
本発明の空調システムによれば、主空調装置で実行される運転モードに応じて副空調装置を運転して、主空調装置を補助することができるので、暖房能力等を向上させることができる。
【００１３】
また、既存の装置を流用して大出力化が可能になるので、コストの上昇を抑えることができる。
【００１４】
これにより、本発明の空調システムを備えた浴室によれば、床面積が大きくなる等により広くなっても、浴室全体を空気調和することができる。
【発明を実施するための最良の形態】
【００１５】
以下、図面を参照して本発明の空調システム及び浴室の実施の形態について説明する。
【００１６】
＜本実施の形態の空調システムの全体構成例＞
図１及び図２は、本実施の形態の空調システム１Ａの一例を示す構成図で、図１は、空調システム１Ａを備えた浴室１０１の側断面図、図２は、空調システム１Ａを備えた浴室１０１の平面図である。
【００１７】
本実施の形態の空調システム１Ａは、浴室１０１の暖房や換気等を行う機能を有した主浴室空調装置２Ａと、浴室１０１の暖房を行う機能を少なくとも有した副浴室空調装置２Ｂを備える。
【００１８】
また、空調システム１Ａは、主浴室空調装置２Ａに対応して設置され、湯水を霧状のミストにして浴室１０１内に噴出する主ノズルユニット３Ａと、副浴室空調装置２Ｂに対応して設置される副ノズルユニット３Ｂとを有したミスト発生装置３を備える。
【００１９】
空調システム１Ａは、浴室１０１に隣接した洗面脱衣所１０２に、システム全体の操作を行う主操作部４が設置され、主操作部４が操作されることで、実行すべき運転モードが選択される。
【００２０】
また、空調システム１Ａは、浴室１０１に、主にミスト発生装置３の運転を伴う操作を行うミスト操作部６が設置され、ミスト操作部６が操作されることでも、実行すべき運転モードが選択される。
【００２１】
空調システム１Ａで実行される運転モードとしては、浴室１０１の暖房を行う暖房運転モードと、浴室１０１で衣類等の乾燥を行う乾燥運転モードと、浴室１０１の換気を行う換気運転モードと、浴室１０１に送風を行う涼風運転モードを有し、これら各運転モードが選択できる。また、浴室１０１の加湿暖房を行うミスト暖房運転モードと、図示しない建物の換気を常時行う２４時間換気運転モードを有し、これら各モードも選択できる。
【００２２】
空調システム１Ａは、主操作部４あるいはミスト操作部６が操作されることで選択された運転モードに応じて、主浴室空調装置２Ａに備えた主制御部５Ａと、副浴室空調装置２Ｂに備えた副制御部５Ｂとの間で通信が行われ、主浴室空調装置２Ａ単体の制御あるいは副浴室空調装置２Ｂを連動させる制御が行われる。
【００２３】
また、ミスト発生装置３の制御弁ユニット３Ｃに備えたミスト制御部７と、主浴室空調装置２Ａの主制御部５Ａとの間、及び、主制御部５Ａと副制御部５Ｂとの間で通信が行われ、ミスト発生装置３を連動させる制御が行われる。
【００２４】
なお、空調システム１Ａは、ミスト発生装置３に対する温水ＨＷの供給元として、例えば自然冷媒（ＣＯ2）を利用したヒートポンプ方式の給湯装置８と組み合わせて使用される。ここで、給湯装置８は、自然冷媒を利用したヒートポンプ方式でない電気温水器や、ガス給湯器等、他の熱源を利用した給湯器でも良い。
【００２５】
また、主ノズルユニット３Ａ及び副ノズルユニット３Ｂで生成されるミストとは、霧や靄、更にはシャワー等の状態を含むものである。
【００２６】
＜本実施の形態の主浴室空調装置の構成例及び動作例＞
図３は、本実施の形態の主浴室空調装置２Ａの一例を示す構成図である。本実施の形態の主浴室空調装置２Ａは主空調装置の一例で、循環ファンユニット１０Ａと換気ファンユニット２０を備える。
【００２７】
主浴室空調装置２Ａは、シャーシ３０Ａの上部に循環ファンユニット１０Ａと換気ファンユニット２０が重ねて取り付けられる。また、主浴室空調装置２Ａは、循環ファンユニット１０Ａと換気ファンユニット２０を覆う直方体形状の本体ケース３１Ａがシャーシ３０Ａに取り付けられる。
【００２８】
循環ファンユニット１０Ａは循環送風手段の一例で、風路を形成する循環ファンケース１１と、回転駆動されるファン１２と、ファン１２を回転駆動するファンモータ１２ａ等を備える。
【００２９】
循環ファンユニット１０Ａは、ファン１２の軸方向に沿った循環ファンケース１１の下面に吸込口１１ａが形成されると共に、ファン１２の接線方向に吹出口１１ｂが形成される。
【００３０】
循環ファンケース１１は、ファン１２が回転駆動されることで発生する空気の流れを吹出口１１ｂに導く円形の形状を有し、シャーシ３０Ａに取り付けられる。
【００３１】
循環ファンユニット１０Ａは、循環ファンケース１１の吹出口１１ｂに吹出口ユニット１３が接続される。
【００３２】
吹出口ユニット１３は、シャーシ３０Ａに取り付けられ、吹出口１３ａに電動ルーバ１４を備えると共に、風路中にヒータ１５を備える。電動ルーバ１４は風向切替手段の一例で、風向調整部材である風向調整板１４ａと、風向調整板１４ａを駆動する風向調整部材駆動手段であるルーバモータ１４ｂと、ルーバモータ１４ｂの駆動力を各風向調整板１４ａに伝達する図示しない駆動力伝達機構を備える。
【００３３】
これにより、循環ファンユニット１０Ａは、ファン１２が回転駆動されると、吸込口１１ａから空気を吸い込んで、吹出口ユニット１３の吹出口１３ａから吹き出す空気の流れを生成する。ヒータ１５は加熱手段の一例で、吹出口１３ａから吹き出す空気を加熱する。
【００３４】
また、電動ルーバ１４の風向調整板１４ａを動かすことで、吹出口１３ａから吹き出す空気の向きが切り替えられる。
【００３５】
換気ファンユニット２０は換気手段の一例で、風路を形成する換気ファンケース２１と、回転駆動されるファン２２と、ファン２２を回転駆動するファンモータ２２ａ等を備える。
【００３６】
換気ファンユニット２０は、ファン２２の軸方向に沿った換気ファンケース２１の上面に吸込口２１ａが形成されると共に、ファン２２の接線方向に吹出口２１ｂが形成される。
【００３７】
換気ファンケース２１は、ファン２２が回転駆動されることで発生する空気の流れを吹出口２１ｂに導く円形の形状を有し、吹出口２１ｂを吹出口ユニット１３と反対側に向け、循環ファンケース１１の上に載せてシャーシ３０Ａに取り付けられる。
【００３８】
これにより、換気ファンユニット２０は、ファン２２が回転駆動されると、吸込口２１ａから空気を吸い込んで、吹出口２１ｂから排出する空気の流れを生成する。
【００３９】
主浴室空調装置２Ａは、シャーシ３０Ａの下部に換気吸込口３２が形成される。換気吸込口３２は、風路を開閉する吸込口ダンパ３２ａと、吸込口ダンパ３２ａを駆動する図示しないモータ等を備える。
【００４０】
主浴室空調装置２Ａは、循環ファンケース１１及び換気ファンケース２１の外周部と、本体ケース３１Ａの角部の内面との間に形成される上下方向に延びる空間によって、換気吸込口３２から換気ファンユニット２０の吸込口２１ａへと連通した換気吸込風路３３が形成される。
【００４１】
主浴室空調装置２Ａは、本体ケース３１Ａの一の側面に、換気ファンユニット２０の吹出口２１ｂと連通した排気口３４が形成され、排気口３４に排気ダクトジョイント３４ａが取り付けられる。
【００４２】
また、本体ケース３１Ａの他の側面に、１つあるいは複数の副吸込口３５が形成され、副吸込口３５に副吸込ダクトジョイント３５ａが取り付けられる。主浴室空調装置２Ａは、本体ケース３１Ａ内の空間によって、副吸込口３５から換気ファンユニット２０の吸込口２１ａと連通した副吸込風路３６が形成される。ここで、副吸込風路３６を通る空気が換気吸込口３２から漏れないようにするため、換気吸込風路３３と副吸込風路３６を仕切る図示しない遮蔽構造を備えると良い。
【００４３】
主浴室空調装置２Ａは、シャーシ３０Ａの下部にフロントパネル４０Ａが取り付けられる。フロントパネル４０Ａは、換気吸込口３２と、循環ファンユニット１０の吸込口１１ａと対向して吸込グリル４１が形成され、吸込グリル４１の内側に、フィルタ４１ａが着脱できるように取り付けられる。
【００４４】
また、フロントパネル４０Ａは、吹出口ユニット１３の吹出口１３ａが露出する開口部が形成される。
【００４５】
主浴室空調装置２Ａは、本体ケース３１Ａ内に基板ボックス３７を備える。基板ボックス３７は、図１に示す主制御部５Ａを構成する図示しない回路基板等が実装される。
【００４６】
次に、主浴室空調装置２Ａの設置例について説明する。主浴室空調装置２Ａは、図１及び図２に示すように、浴室１０１の天井パネル１１０に設置される。浴室１０１の天井パネル１１０の所定の位置、本例では、浴槽１０１ａの上方の所定の位置には、主浴室空調装置２Ａの本体ケース３１Ａが入る開口部が形成され、主浴室空調装置２Ａは、フロントパネル４０Ａが浴室１０１に面して露出するようにして、天井裏から吊り下げる形態、あるいは天井パネル１１０に固定する形態等で取り付けられる。
【００４７】
浴室１０１の天井パネル１１０に取り付けられた主浴室空調装置２Ａは、排気口３４に排気ダクトジョイント３４ａが取り付けられ、排気ダクトジョイント３４ａに排気ダクト３４ｂが接続される。排気ダクト３４ｂは、図示しない建物の外壁１０３に取り付けた屋外グリル３４ｃに接続され、主浴室空調装置２Ａで浴室１０１等から吸い込んだ空気を、排気ダクト３４ｂを介して屋外に排気できる構成となっている。
【００４８】
また、主浴室空調装置２Ａは、副吸込口３５に副吸込ダクトジョイント３５ａが取り付けられ、副吸込ダクトジョイント３５ａに副吸込ダクト３５ｂが接続される。副吸込ダクト３５ｂは、洗面脱衣所１０２の天井パネル１２０に設置された副吸込グリル３５ｃに接続されて、洗面脱衣所１０２から空気を吸い込める構成となっている。なお、副吸込グリル３５ｃは、図示しないトイレに備えても良い。
【００４９】
次に、主浴室空調装置２Ａの動作について説明する。主浴室空調装置２Ａは、循環ファンユニット１０Ａのファン１２が回転駆動されると、シャーシ３０Ａに下側を向いて開口した吸込口１１ａから空気が吸い込まれる。
【００５０】
循環ファンユニット１０Ａの吸込口１１ａから空気が吸い込まれることで、図１等に示す浴室１０１の空気が、フロントパネル４０Ａの吸込グリル４１から循環ファンユニット１０Ａに吸い込まれる。
【００５１】
循環ファンユニット１０Ａに吸い込まれた空気は、循環ファンケース１１によって吹出口１１ｂへと排出され、吹出口ユニット１３を通り、フロントパネル４０Ａに露出した吹出口１３ａから浴室１０１内に吹き出す。
【００５２】
循環ファンユニット１０Ａでは、ヒータ１５に通電すると、吹出口ユニット１３を通る空気が暖められ、吹出口１３ａから温風が吹き出す。
【００５３】
これにより、主浴室空調装置２Ａは、循環ファンユニット１０Ａの動作で、浴室１０１内の空気を吸い込み、浴室１０１内の温度に応じた送風または温風ＨＡを浴室１０１内に吹き出す。
【００５４】
ここで、主浴室空調装置２Ａでは、吹出口１３ａに電動ルーバ１４を備えており、電動ルーバ１４で風向調整板１４ａを動かすことで、吹出口１３ａから吹き出す空気の向きが切り替えられる。
【００５５】
本例では、吹出口１３ａから吹き出す空気の向きは、浴槽１０１ａと洗い場１０１ｂの並びに沿った方向に切り替え可能であり、例えば、浴槽１０１ａ側と洗い場１０１ｂ側との間の任意の方向に温風（送風）ＨＡが吹き出されるように、吹き出し方向が固定される。また、一般的にスイングと称される動作で、浴槽１０１ａ側から洗い場１０１ｂ側の間で順次温風ＨＡが吹き出されるように、吹き出し方向が切り替えられる。
【００５６】
主浴室空調装置２Ａは、換気ファンユニット２０のファン２２が回転駆動されると、上側を向いて開口した吸込口２１ａから空気が吸い込まれる。
【００５７】
換気ファンユニット２０の吸込口２１ａから空気が吸い込まれることで、吸込口ダンパ３２ａを作動させて換気吸込口３２を開くと、図１等に示す浴室１０１等の空気が、フロントパネル４０Ａの吸込グリル４１から吸い込まれ、吸込グリル４１から吸い込まれた空気は、換気吸込口３２から換気吸込風路３３を通って換気ファンユニット２０に吸い込まれる。
【００５８】
また、図１に示す洗面脱衣所１０２の空気及び図示しないトイレの空気が、副吸込グリル３５ｃから吸い込まれ、副吸込グリル３５ｃから吸い込まれた空気は、副吸込ダクト３５ｂを通り、副吸込口３５から副吸込風路３６を通って換気ファンユニット２０に吸い込まれる。
【００５９】
換気ファンユニット２０に吸い込まれた空気は、換気ファンケース２１によって吹出口２１ｂへと排出され、排出口３４から図１に示す排気ダクト３５ｂを通り、屋外グリル３５ｃから屋外へ排出される。
【００６０】
これにより、主浴室空調装置２Ａは、換気ファンユニット２０と吸込口ダンパ３２ａの動作で、吸込口ダンパ３２ａを開くと、浴室１０１内の空気を吸い込んで、屋外へ排出すると共に、洗面脱衣所１０２及び図示しないトイレから空気を吸い込んで、屋外へ排出する。また、吸込口ダンパ３２ａを閉じると、浴室１０１からの空気の吸い込みは行わず、洗面脱衣所１０２及び図示しないトイレから空気を吸い込んで、屋外へ排出する。
【００６１】
＜本実施の形態の副浴室空調装置の構成例＞
図４は、本実施の形態の副浴室空調装置２Ｂの一例を示す構成図である。本実施の形態の副浴室空調装置２Ｂは副空調装置の一例で、換気機能を非搭載とした構成であり、循環ファンユニット１０Ｂを備える。
【００６２】
副浴室空調装置２Ｂは、シャーシ３０Ｂの上部に循環ファンユニット１０Ｂが取り付けられる。また、副浴室空調装置２Ｂは、循環ファンユニット１０Ｂを覆う直方体形状の本体ケース３１Ｂがシャーシ３０Ｂに取り付けられる。
【００６３】
循環ファンユニット１０Ｂは循環送風手段の一例で、風路を形成する循環ファンケース１１と、回転駆動されるファン１２と、ファン１２を回転駆動するファンモータ１２ａ等を備える。
【００６４】
循環ファンユニット１０Ｂは、ファン１２の軸方向に沿った循環ファンケース１１の下面に吸込口１１ａが形成されると共に、ファン１２の接線方向に吹出口１１ｂが形成される。
【００６５】
循環ファンケース１１は、ファン１２が回転駆動されることで発生する空気の流れを吹出口１１ｂに導く円形の形状を有し、シャーシ３０Ｂに取り付けられる。
【００６６】
循環ファンユニット１０Ｂは、循環ファンケース１１の吹出口１１ｂに吹出口ユニット１３が接続される。
【００６７】
吹出口ユニット１３は、シャーシ３０Ｂに取り付けられ、吹出口１３ａに風向切替手段の一例である風向調整板１３ｂを備えると共に、風路中にヒータ１５を備える。
【００６８】
これにより、循環ファンユニット１０Ｂは、ファン１２が回転駆動されると、吸込口１１ａから空気を吸い込んで、吹出口ユニット１３の吹出口１３ａから吹き出す空気の流れを生成する。ヒータ１５は加熱手段の一例で、吹出口１３ａから吹き出す空気を加熱する。
【００６９】
副浴室空調装置２Ｂは、シャーシ３０Ｂの下部にフロントパネル４０Ｂが取り付けられる。フロントパネル４０Ｂは、循環ファンユニット１０Ｂの吸込口１１ａと対向して吸込グリル４１が形成され、吸込グリル４１の内側に、フィルタ４１ａが着脱できるように取り付けられる。
【００７０】
また、フロントパネル４０Ｂは、吹出口ユニット１３の吹出口１３ａが露出する開口部が形成される。
【００７１】
副浴室空調装置２Ｂは、本体ケース３１Ｂ内に基板ボックス３７を備える。基板ボックス３７は、図１に示す副制御部５Ｂを構成する図示しない回路基板等が実装される。
【００７２】
次に、副浴室空調装置２Ｂの設置例について説明する。副浴室空調装置２Ｂは、図１及び図２に示すように、浴室１０１の天井パネル１１０に設置される。浴室１０１の天井パネル１１０の所定の位置、本例では、洗い場１０１ｂの上方の所定の位置には、副浴室空調装置２Ｂの本体ケース３１Ｂが入る開口部が形成され、副浴室空調装置２Ｂは、フロントパネル４０Ｂが浴室１０１に面して露出するようにして、天井裏から吊り下げる形態、あるいは天井パネル１１０に固定する形態等で取り付けられる。ここで、本例の副浴室空調装置２Ｂは、換気機能を持たないため、ダクトの設置は不要である。
【００７３】
次に、副浴室空調装置２Ｂの動作について説明する。副浴室空調装置２Ｂは、循環ファンユニット１０Ｂのファン１２が回転駆動されると、シャーシ３０Ｂに下側を向いて開口した吸込口１１ａから空気が吸い込まれる。
【００７４】
循環ファンユニット１０Ｂの吸込口１１ａから空気が吸い込まれることで、図１等に示す浴室１０１の空気が、フロントパネル４０Ｂの吸込グリル４１から循環ファンユニット１０Ｂに吸い込まれる。
【００７５】
循環ファンユニット１０Ｂに吸い込まれた空気は、循環ファンケース１１によって吹出口１１ｂへと排出され、吹出口ユニット１３を通り、フロントパネル４０Ｂに露出した吹出口１３ａから浴室１０１内に吹き出す。
【００７６】
循環ファンユニット１０Ｂでは、ヒータ１５に通電すると、吹出口ユニット１３を通る空気が暖められ、吹出口１３ａから温風が吹き出す。
【００７７】
これにより、副浴室空調装置２Ｂは、循環ファンユニット１０Ｂの動作で、浴室１０１内の空気を吸い込み、浴室１０１内の温度に応じた送風または温風ＨＡを浴室１０１内に吹き出す。
【００７８】
ここで、副浴室空調装置２Ｂの吹出口１３ａに備えられる風向調整板１３ｂは、向きが固定あるいは手動で向きが調整可能な構成であり、例えば、洗い場１０１ｂに向けて温風（送風）ＨＡが吹き出されるように、吹き出し方向が調整される。
【００７９】
＜ミスト発生装置の構成例及び動作例＞
図５はミスト発生装置３を構成する主ノズルユニット３Ａ及び副ノズルユニット３Ｂの一例を示す構成図で、図５（ａ）は、主ノズルユニット３Ａ及び副ノズルユニット３Ｂを下側から見た平面図、図５（ｂ）は、図５（ａ）に示す主ノズルユニット３Ａ及び副ノズルユニット３ＢのＡ−Ａ断面図、図５（ｃ）は、図５（ａ）に示す主ノズルユニット３Ａ及び副ノズルユニット３ＢのＢ−Ｂ断面図である。
【００８０】
主ノズルユニット３Ａ及び副ノズルユニット３Ｂは湯水噴出装置の一例で、ミストを生成する複数のミストノズル５１が、各ミストノズル５１に温水（水）を供給する供給配管５２を介して本体部５３の内部に取り付けられる。
【００８１】
各ミストノズル５１は、１本の供給配管５２に接続されて、一列に並べて配置される。本例では、３個のミストノズル５１を所定の間隔を開けて配置して、各ミストノズル５１が供給配管５２と接続され、供給配管５２に温水が供給されると、各ミストノズル５１に温水が分配されて、各ミストノズル５１からミストが噴出する。
【００８２】
次に、主ノズルユニット３Ａと副ノズルユニット３Ｂの設置例について説明する。主ノズルユニット３Ａ及び副ノズルユニット３Ｂは、図１及び図２に示す浴室１０１の天井パネル１１０の所定の２箇所に形成された開口に本体部５３が挿入され、本体部５３の下部開口を覆うフロントパネル５４が取り付けられて、浴室１０１の天井パネル１１０に設置される。
【００８３】
フロントパネル５４は、ミストノズル５１の配置に合わせて穴部５４ａが形成され、穴部５４ａからミストノズル５１が露出している。
【００８４】
ここで、フロントパネル５４を固定する図示しないネジが挿入される長穴５４ｂを備えて、フロントパネル５４の取り付け位置を、ミストノズル５１の並ぶ方向に対して直交する方向に移動できる構成とすることで、フロントパネル５４の穴部５４ａの位置に応じて各ミストノズル５１が供給配管５２を軸に回転するようにして、主ノズルユニット３Ａ及び副ノズルユニット３Ｂの設置時に、ミストの噴出方向を選択できるようにしても良い。
【００８５】
例えば、主ノズルユニット３Ａは、主浴室空調装置２Ａに対応して浴室１０１において浴槽１０１ａの上方に配置されるので、ミストＭの噴出方向を浴槽１０１ａ方向とするような調整が可能である。また、副ノズルユニット３Ｂは、副浴室空調装置２Ｂに対応して浴室１０１において洗い場１０１ｂの上方に配置されるので、ミストＭの噴出方向を洗い場１０１ｂ方向とするような調整が可能である。
【００８６】
図６はミスト発生装置３を構成する制御弁ユニット３Ｃの一例を示す構成図である。制御弁ユニット３Ｃは、図１に示す給湯装置８からの配管５５ａが接続される給湯配管接続部５６ａと、主ノズルユニット３Ａ及び副ノズルユニット３Ｂへの配管５５ｂが接続される供給配管接続部５６ｂと、ドレン配管５５ｃが接続されるドレン配管接続部５６ｃを備える。
【００８７】
ここで、ミスト発生装置３は、本例では、配管５５ｂを途中で分岐して、制御弁ユニット３Ｃから主ノズルユニット３Ａと副ノズルユニット３Ｂの双方に温水（水）を供給する構成となっている。
【００８８】
制御弁ユニット３Ｃは、給湯配管接続部５６ａと供給配管接続部５６ｂとの間が供給配管５７で接続され、給湯装置８と主ノズルユニット３Ａ及び副ノズルユニット３Ｂとの間を接続している。また、制御弁ユニット３Ｃは、供給配管５７から分岐した排水配管５８がドレン配管接続部５６ｃと接続され、給湯装置８とドレン配管５５ｃとの間を接続している。
【００８９】
制御弁ユニット３Ｃは、排水配管５８との分岐部５７ａより上流側の供給配管５７に、給湯の有無を切り替える給湯切替電磁弁５９ａを備えると共に、分岐部５７ａより下流側の供給配管５７に、温水または水の供給先を主ノズルユニット３Ａ及び副ノズルユニット３Ｂに切り替える供給切替電磁弁５９ｂを備える。
【００９０】
更に、制御弁ユニット３Ｃは、温水または水の供給先をドレン配管５５ｃに切り替える排水切替電磁弁５９ｃを、排水配管５８に備える。
【００９１】
また、制御弁ユニット３Ｃは、給湯切替電磁弁５９ａと分岐部５７ａとの間の供給配管５７に、供給配管５７を流れる温水または水の温度を検出する水温検出センサ６０を備える。
【００９２】
ここで、供給配管５７に設ける給湯切替電磁弁５９ａ及び供給切替電磁弁５９ｂの設置高さより、排水配管５８に設ける排水切替電磁弁５９ｃの設置高さが低くなるように、供給配管５７と排水配管５８の流路を構成することで、流路中に残水が滞留しないようにしている。
【００９３】
図７及び図８は制御弁ユニット３Ｃの動作説明図で、次に、ミスト発生装置３の動作例について説明する。ミスト噴出時は、図７（ａ）に示すように、給湯切替電磁弁５９ａと供給切替電磁弁５９ｂは開き、排水切替電磁弁５９ｃは閉じる。これにより、図１に示す給湯装置８から供給された温水ＨＷが、供給配管５７を流れて主ノズルユニット３Ａと副ノズルユニット３Ｂに供給され、主ノズルユニット３Ａ及び副ノズルユニット３ＢでミストＭが噴出される。
【００９４】
排水時は、図７（ｂ）に示すように、給湯切替電磁弁５９ａと排水切替電磁弁５９ｃは開き、供給切替電磁弁５９ｂは閉じる。これにより、給湯装置８から供給された温水ＨＷが、供給配管５７及び排水配管５８を流れてドレン配管５５ｃから排水（ＥＷ）される。
【００９５】
排水の停止時は、まず、図８（ａ）に示すように、排水切替電磁弁５９ｃは開けた状態で、給湯切替電磁弁５９ａを閉じた後、供給切替電磁弁５９ｂを開ける。これにより、供給配管５７の主ノズルユニット３Ａ及び副ノズルユニット３Ｂと接続された側が大気に開放された状態となるので、供給配管５７内の残水ＲＷが排水配管５８へと流れてドレン配管５５ｃから排水される。
【００９６】
そして、残水ＲＷの排水に要する時間に応じて設定された所定時間経過後、図８（ｂ）に示すように、給湯切替電磁弁５９ａ、供給切替電磁弁５９ｂ及び排水切替電磁弁５９ｃの全てを閉じることで、給湯切替電磁弁５９ａより下流側の流路に残水を滞留させない状態とすることができる。
【００９７】
＜本実施の形態の浴室の構成例＞
次に、図１及び図２等を参照に、本実施の形態の浴室１０１の構成例について説明する。
【００９８】
本実施の形態の浴室１０１は、例えば、床面積が２４００×１８００（ｍｍ）程度の大きさを有し、天井パネル１１０の中央部付近に点検口１１１を備える。点検口１１１は、開閉可能な蓋部１１１ａを有し、蓋部１１１ａを開けることで、浴室１０１内から、浴室１０１の天井裏での作業が可能となっている。
【００９９】
空調システム１Ａは、点検口１１１を挟んで浴槽１０１ａ側の天井パネル１１０の所定の位置に、例えば梁１１２を避けて開口を形成して、主浴室空調装置２Ａ及び主ノズルユニット３Ａが設置される。また、点検口１１１を挟んで洗い場１０１ｂ側の天井パネル１１０の所定の位置に、例えば梁１１２を避けて開口を形成して、副浴室空調装置２Ｂ及び副ノズルユニット３Ｂが設置される。
【０１００】
更に、主浴室空調装置２Ａ及び主ノズルユニット３Ａの設置場所と、副浴室空調装置２Ｂ及び副ノズルユニット３Ｂの設置場所を避けた点検口１１１近傍の天井パネル１１０上に、制御弁ユニット３Ｃが設置される。
【０１０１】
これにより、主浴室空調装置２Ａ及び主ノズルユニット３Ａの設置場所と、点検口１１１との間には、設置作業や点検作業の障害となるような構造物が存在しないようにすることができ、主浴室空調装置２Ａ及び主ノズルユニット３Ａは、点検口１１１から設置作業が行われる。また、点検作業等の設置後の保守作業も、点検口１１１から行われる。
【０１０２】
同様に、副浴室空調装置２Ｂ及び副ノズルユニット３Ｂの設置場所と、点検口１１１との間には、設置作業や点検作業の障害となるような構造物が存在しないようにすることができ、副浴室空調装置２Ｂ及び副ノズルユニット３Ｂは、点検口１１１から設置作業が行われる。また、点検作業等の設置後の保守作業も、点検口１１１から行われる。
【０１０３】
更に、制御弁ユニット３Ｃの設置場所と、点検口１１１との間には、設置作業や点検作業の障害となるような構造物が存在しないようにすることができ、制御弁ユニット３Ｃは、点検口１１１から設置作業が行われる。また、点検作業等の設置後の保守作業も、点検口１１１から行われる。
【０１０４】
ここで、主浴室空調装置２Ａに接続される排気ダクト３４ｂ及び副吸込ダクト３５ｂの敷設作業及び主浴室空調装置２Ａとの接続作業も、点検口１１１から行われる。
【０１０５】
また、主ノズルユニット３Ａ及び副ノズルユニット３Ｂと、制御弁ユニット３Ｃとを接続する配管５５ｂの接続作業、制御弁ユニット３Ｃと給湯装置８とを接続する配管５５ａの作業、及び制御弁ユニット３Ｃと浴室１０１の排水口１０１ｃ等を接続するドレン配管５５ｃの接続作業等、水関係の配管作業も、点検口１１１から行われる。
【０１０６】
＜本実施の形態の空調システムの制御機能例＞
図９は本実施の形態の空調システム１Ａの制御系の一例を示す機能ブロック図であり、次に、上述した主浴室空調装置２Ａ及び副浴室空調装置２Ｂと、ミスト発生装置３を備えた空調システム１Ａの制御系の構成について説明する。
【０１０７】
主浴室空調装置２Ａを制御する主制御部５Ａは主制御手段の一例で、図３で説明した循環ファンユニット１０Ａを駆動するファンモータ１２ａと、換気ファンユニット２０を駆動するファンモータ２２ａが接続される。また、電動ルーバ１４を駆動するルーバモータ１４ｂと、吸込口ダンパ３２ａを駆動するダンパモータ３２ｂと、ヒータ１５と、温度検出センサ３８等が接続される。
【０１０８】
温度検出センサ３８は、例えば循環ファンユニット１０Ａの吸込口１１ａの近傍に設けられ、浴室１０１から吸い込む空気の温度から、浴室１０１内の温度を検出する。
【０１０９】
また、主制御部５Ａは主操作部４が接続される。ここで、主操作部４は、例えば有線で主制御部５Ａに接続される。
【０１１０】
副浴室空調装置２Ｂを制御する副制御部５Ｂは副制御手段の一例で、図４で説明した循環ファンユニット１０Ｂを駆動するファンモータ１２ａと、ヒータ１５等が接続される。また、副浴室空調装置２Ｂの副制御部５Ｂは、主浴室空調装置２Ａの主制御部５Ａと例えば有線で接続される。
【０１１１】
ミスト発生装置３を制御するミスト制御部７は、図６で説明した制御弁ユニット３Ｃの給湯切替電磁弁５９ａと、供給切替電磁弁５９ｂと、排水切替電磁弁５９ｃと、水温検出センサ６０等が接続される。
【０１１２】
また、ミスト制御部７はミスト操作部６が接続される。ここで、ミスト操作部６は、例えば有線でミスト制御部７に接続される。また、ミスト発生装置３のミスト制御部７は、主浴室空調装置２Ａの主制御部５Ａと例えば有線で接続される。
【０１１３】
主制御部５Ａ及び副制御部５Ｂと、ミスト制御部７は、それぞれ図示しないＣＰＵやメモリ等を備え、主操作部４あるいはミスト操作部６が操作されることで選択された運転モードを実行するためのプログラムに従って、主浴室空調装置２Ａを単体で運転する制御、あるいは副浴室空調装置２Ｂを連動させる制御を行う。また、ミスト発生装置３を連動させる制御を行う。
【０１１４】
空調システム１Ａは、暖房運転モードと乾燥運転モードでは、主浴室空調装置２Ａと副浴室空調装置２Ｂを連動させる。また、換気運転モードと涼風運転モードと２４時間換気運転モードでは、主浴室空調装置２Ａが単体で運転される。更に、ミスト暖房運転モードでは、ミスト発生装置３と主浴室空調装置２Ａと副浴室空調装置２Ｂを連動させる。
【０１１５】
主浴室空調装置２Ａの主制御部５Ａは、主操作部４が操作されることで、主浴室空調装置２Ａと副浴室空調装置２Ｂを連動させる暖房運転モード等の運転モードが選択されると、主制御部５Ａから副浴室空調装置２Ｂの副制御部５Ｂに所定の動作を行う運転開始指令を出し、主操作部４で運転を停止する操作が行われると、運転停止指令を出す。
【０１１６】
また、ミスト発生装置３を連動させるミスト暖房運転モードが選択されると、主制御部５Ａからミスト発生装置３のミスト制御部７に所定の動作を行う運転開始指令を出すと共に、副制御部５Ｂに所定の動作を行う運転開始指令を出し、主操作部４で運転を停止する操作が行われると、運転停止指令を出す。
【０１１７】
更に、ミスト制御部７は、ミスト操作部６が操作されることでミスト暖房運転モードが選択されると、ミスト制御部７から主制御部５Ａに所定の動作を行う運転開始指令を出し、ミスト操作部６で運転を停止する操作が行われると、運転停止指令を出す。
【０１１８】
図１０は主操作部４の一例を示す構成図である。主操作部４は主操作手段の一例で、運転モードを選択する操作ボタンとして、暖房運転モードの開始及び運転停止と、ミスト暖房モードの運転及び運転停止を選択する暖房運転選択ボタン７１を備える。
【０１１９】
また、換気運転モードの開始及び運転停止を選択する換気運転選択ボタン７２と、乾燥運転モードの開始及び運転停止を選択する乾燥運転選択ボタン７３と、涼風運転モードの開始及び運転停止を選択する涼風運転選択ボタン７４を備える。
【０１２０】
更に、所定の換気風量で常時換気を行う２４時間換気運転モードを選択する２４時間換気運転選択ボタン７５と、全ての制御を停止させる停止ボタン７６を備える。
【０１２１】
また、主浴室空調装置２Ａの電動ルーバ１４を動作させるルーバボタン７７を備える。
【０１２２】
主操作部４は、各操作ボタンで選択された運転モード及び各運転モードで設定される風量等を入浴者等に報知する報知手段として、暖房運転選択ボタン７１と対応させたミスト運転ランプ７１ａと、選択できる暖房の強弱の度合いに応じて複数のランプを有した暖房運転ランプ７１ｂを備える。
【０１２３】
また、換気運転選択ボタン７２と対応させた換気運転ランプ７２ａと、乾燥運転選択ボタン７３と対応させた乾燥運転ランプ７３ａと、涼風運転選択ボタン７４と対応させた涼風運転ランプ７４ａと、２４時間換気運転選択ボタン７５と対応させた２４時間換気運転ランプ７５ａを備える。
【０１２４】
なお、各運転モードで風量等が選択できる場合は、選択できる風量の強弱等に応じて、各操作ボタンに対応させて複数の運転ランプを備える。
【０１２５】
更に、主操作部４は、現在時刻等が表示される表示部７９を備える。
【０１２６】
図１１はミスト操作部６の一例を示す構成図である。ミスト操作部６は、運転モードを選択する操作ボタンとして、ミストモードの運転及び運転停止を選択するミスト運転選択ボタン８１を備える。また、暖房運転モードの開始及び運転停止と、暖房の強弱を選択する暖房運転選択ボタン８２を備える。
【０１２７】
更に、主浴室空調装置２Ａの電動ルーバ１４を動作させるルーバボタン８３を備える。また、全ての制御を停止させる停止ボタン８４を備える。
【０１２８】
ミスト操作部６は、各操作ボタンで選択された運転モード及び各運転モードで設定される風量等を入浴者等に報知する報知手段として、ミスト運転ランプ８５と暖房運転ランプ８６を備える。暖房運転ランプ８６は、選択できる暖房の強弱の度合に応じて、複数のランプを備える。
【０１２９】
＜本実施の形態の空調システムの動作例＞
次に、各図を参照して本実施の形態の空調システム１Ａの動作例について説明する。ここで、表１は、各運転モードにおける主浴室空調装置２Ａ、副浴室空調装置２Ｂ及びミスト発生装置３の運転状態の一例を示す。
【０１３０】
【表１】
2008051353.tif 000003
【０１３１】
（ａ）暖房運転モード
洗面脱衣所１０２に設置された主操作部４の暖房運転選択ボタン７１が操作され、暖房運転モードが選択されると、主浴室空調装置２Ａの主制御部５Ａは、主浴室空調装置２Ａを制御して暖房運転を行うと共に、副浴室空調装置２Ｂの副制御部５Ｂに暖房運転の運転開始指令を出す。
【０１３２】
主浴室空調装置２Ａは、暖房運転では、循環ファンユニット１０Ａのファンモータ１２ａとヒータ１５が駆動され、フロントパネル４０Ａの吸込グリル４１から浴室１０１の空気が循環ファンユニット１０Ａに吸い込まれる。循環ファンユニット１０Ａに吸い込まれた空気はヒータ１５で加熱され、温風ＨＡがフロントパネル４０Ａの吹出口１３ａから浴室１０１内に吹き出される。
【０１３３】
副浴室空調装置２Ｂの副制御部５Ｂは、主浴室空調装置２Ａの主制御部５Ａから暖房運転の運転開始指令を受けると、副浴室空調装置２Ｂを制御して暖房運転を行う。
【０１３４】
副浴室空調装置２Ｂは、暖房運転では、循環ファンユニット１０Ｂのファンモータ１２ａとヒータ１５が駆動され、フロントパネル４０Ｂの吸込グリル４１から浴室１０１の空気が循環ファンユニット１０Ｂに吸い込まれる。循環ファンユニット１０Ｂに吸い込まれた空気はヒータ１５で加熱され、温風ＨＡがフロントパネル４０Ｂの吹出口１３ａから浴室１０１内に吹き出される。
【０１３５】
これにより、暖房運転モードでは、主浴室空調装置２Ａと副浴室空調装置２Ｂが連動して温風ＨＡが吹き出され、２台の空調装置で浴室１０１の暖房が行われる。
【０１３６】
ここで、主浴室空調装置２Ａは、温風ＨＡの吹出口１３ａに電動ルーバ１４を備えており、主操作部４のルーバボタン７７が操作されることで、温風ＨＡの吹き出す方向が切り替えられる。
【０１３７】
例えば、温風ＨＡの吹き出す方向を、入浴者等の要求に応じて浴槽１０１ａ側に設定したり、洗い場１０１ｂ側に設定することが可能である。また、浴槽１０１ａ側と洗い場１０１ｂ側との間でスイングさせることも可能である。更に、運転モードに応じて温風ＨＡや送風の吹き出す方向が切り替えられるようにしても良い。
【０１３８】
これに対して、副浴室空調装置２Ｂは、温風ＨＡの吹出口１３ａには向きが固定あるいは手動で調整可能な風向調整板１３ｂを備えており、例えば、直下の洗い場１０１ｂに向けて温風ＨＡが吹き出されるように風向調整板１３ｂが調整されることで、洗い場１０１ｂの床面を暖房することが可能である。
【０１３９】
暖房運転モードの停止は、主操作部４の暖房運転選択ボタン７１の操作あるいは停止ボタン７６の操作で選択され、主浴室空調装置２Ａの主制御部５Ａは、主浴室空調装置２Ａを制御して暖房運転を停止すると共に、副浴室空調装置２Ｂの副制御部５Ｂに暖房運転の運転停止指令を出す。
【０１４０】
副浴室空調装置２Ｂの副制御部５Ｂは、主浴室空調装置２Ａの主制御部５Ａから暖房運転の運転停止指令を受けると、副浴室空調装置２Ｂを制御して暖房運転  を停止する。
【０１４１】
ここで、暖房運転モードでは、主浴室空調装置２Ａで暖房運転を開始した後、所定時間経過後に副浴室空調装置２Ｂの運転を開始しても良い。これにより、ヒータ通電時のピーク電流が軽減される。
【０１４２】
なお、暖房運転モードは、浴室１０１に設置されるミスト操作部６の暖房運転選択ボタン８２を操作することでも選択可能である。ミスト操作部６の暖房運転選択ボタン８２の操作で暖房運転モードが選択されると、ミスト発生装置３のミスト制御部７は、主浴室空調装置２Ａの主制御部５Ａに暖房運転の運転開始指令を出す。
【０１４３】
これにより、主浴室空調装置２Ａの主制御部５Ａは、主浴室空調装置２Ａを制御して暖房運転を行うと共に、副浴室空調装置２Ｂの副制御部５Ｂに暖房運転の運転開始指令を出すことで、主操作部４での操作の場合と同様に、主浴室空調装置２Ａと副浴室空調装置２Ｂが連動して浴室１０１の暖房が行われる。
【０１４４】
（ｂ）乾燥運転モード
主操作部４の乾燥運転選択ボタン７３が操作され、乾燥運転モードが選択されると、主浴室空調装置２Ａの主制御部５Ａは、主浴室空調装置２Ａを制御して、暖房運転と換気運転を連動させた乾燥運転を行うと共に、副浴室空調装置２Ｂの副制御部５Ｂに暖房運転の運転開始指令を出す。
【０１４５】
主浴室空調装置２Ａは、暖房運転では、循環ファンユニット１０Ａのファンモータ１２ａとヒータ１５が駆動され、フロントパネル４０Ａの吸込グリル４１から浴室１０１の空気が吸い込まれ、温風ＨＡがフロントパネル４０Ａの吹出口１３ａから浴室１０１内に吹き出される。
【０１４６】
また、主浴室空調装置２Ａは、換気運転では、吸込口ダンパ３２ａを開閉するダンパモータ３２ｂと、換気ファンユニット２０のファンモータ２２ａが駆動される。換気吸込口３２を開くと、フロントパネル４０Ａの吸込グリル４１から浴室１０１の空気が換気ファンユニット２０に吸い込まれる。また、洗面脱衣所１０２及び図示しないトイレの空気が、副吸込グリル３５ｃから換気ファンユニット２０に吸い込まれる。
【０１４７】
換気ファンユニット２０に吸い込まれた空気は、排気ダクト３５ｂを通って屋外グリル３５ｃから屋外へ排出される。
【０１４８】
副浴室空調装置２Ｂの副制御部５Ｂは、主浴室空調装置２Ａの主制御部５Ａから暖房運転の運転開始指令を受けると、副浴室空調装置２Ｂを制御して暖房運転を行う。
【０１４９】
副浴室空調装置２Ｂは、暖房運転では、循環ファンユニット１０Ｂのファンモータ１２ａとヒータ１５が駆動され、フロントパネル４０Ｂの吸込グリル４１から浴室１０１の空気が吸い込まれ、温風ＨＡがフロントパネル４０Ｂの吹出口１３ａから浴室１０１内に吹き出される。
【０１５０】
これにより、乾燥運転モードでは、主浴室空調装置２Ａと副浴室空調装置２Ｂが連動して温風ＨＡが吹き出されると共に、主浴室空調装置２Ａで浴室１０１内の換気が行われ、湿気を排出しながら、２台の空調装置で衣類等の乾燥が行われる。
【０１５１】
ここで、乾燥運転モードでも、主浴室空調装置２Ａは、主操作部４のルーバボタン７７が操作されることで、温風ＨＡの吹き出す方向が切り替えられるようにしても良い。
【０１５２】
例えば、温風ＨＡの吹き出す方向を、洗濯物等が掛けられる図示しないランドリパイプ側に設定したり、ランドリパイプが複数本備えられる場合は、ランドリパイプ間でスイングさせることも可能である。
【０１５３】
乾燥運転モードの停止は、主操作部４の乾燥運転選択ボタン７３の操作あるいは停止ボタン７６の操作で選択され、主浴室空調装置２Ａの主制御部５Ａは、主浴室空調装置２Ａを制御して暖房運転及び換気運転を停止すると共に、副浴室空調装置２Ｂの副制御部５Ｂに暖房運転の運転停止指令を出す。
【０１５４】
副浴室空調装置２Ｂの副制御部５Ｂは、主浴室空調装置２Ａの主制御部５Ａから暖房運転の運転停止指令を受けると、副浴室空調装置２Ｂを制御して暖房運転を停止する。
【０１５５】
ここで、乾燥運転モードでは、主浴室空調装置２Ａで暖房運転を開始した後、所定時間経過後に副浴室空調装置２Ｂの運転を開始しても良い。これにより、ヒータ通電時のピーク電流が軽減される。
【０１５６】
（ｃ）換気運転モード
主操作部４の換気運転選択ボタン７２が操作され、換気運転モードが選択されると、主浴室空調装置２Ａの主制御部５Ａは、主浴室空調装置２Ａを制御して換気運転を行う。
【０１５７】
主浴室空調装置２Ａは、換気運転では、吸込口ダンパ３２ａを開閉するダンパモータ３２ｂと、換気ファンユニット２０のファンモータ２２ａが駆動される。換気吸込口３２を開くと、フロントパネル４０Ａの吸込グリル４１から浴室１０１の空気が吸い込まれると共に、洗面脱衣所１０２及び図示しないトイレの空気が副吸込グリル３５ｃから吸い込まれ、屋外へ排出される。
【０１５８】
主浴室空調装置２Ａの主制御部５Ａは、換気運転モードでは、副浴室空調装置２Ｂを動作させないため、副浴室空調装置２Ｂへの運転開始指令は出さない。
【０１５９】
これにより、換気運転モードでは、主浴室空調装置２Ａで浴室１０１等の換気が行われる。
【０１６０】
換気運転モードの停止は、主操作部４の換気運転選択ボタン７２の操作あるいは停止ボタン７６の操作で選択され、主浴室空調装置２Ａの主制御部５Ａは、主浴室空調装置２Ａを制御して換気運転を停止する。
【０１６１】
（ｄ）涼風運転モード
主操作部４の涼風運転選択ボタン７４が操作され、涼風運転モードが選択されると、主浴室空調装置２Ａの主制御部５Ａは、主浴室空調装置２Ａを制御して涼風運転を行う。
【０１６２】
主浴室空調装置２Ａは、涼風運転では、循環ファンユニット１０Ａのファンモータ１２ａが駆動され、フロントパネル４０Ａの吸込グリル４１から浴室１０１の空気が循環ファンユニット１０Ａに吸い込まれる。循環ファンユニット１０Ａに吸い込まれた空気は、ヒータ１５が通電されていないことで加熱されず、浴室１０１内の温度に応じた送風がフロントパネル４０Ａの吹出口１３ａから浴室１０１内に吹き出される。
【０１６３】
主浴室空調装置２Ａの主制御部５Ａは、涼風運転モードでは、副浴室空調装置２Ｂを動作させないため、副浴室空調装置２Ｂへの運転開始指令は出さない。
【０１６４】
これにより、涼風運転モードでは、主浴室空調装置２Ａで浴室１０１内に送風が行われる。
【０１６５】
涼風運転モードの停止は、主操作部４の涼風運転選択ボタン７４の操作あるいは停止ボタン７６の操作で選択され、主浴室空調装置２Ａの主制御部５Ａは、主浴室空調装置２Ａを制御して涼風運転を停止する。
【０１６６】
ここで、涼風運転モードでは、換気ファンユニット２０を動作させて換気運転と連動させても良い。
【０１６７】
（ｅ）ミスト暖房運転モード
主操作部４の暖房運転選択ボタン７１が操作され、ミスト暖房運転モードが選択されると、主浴室空調装置２Ａの主制御部５Ａは、まず主浴室空調装置２Ａを制御して暖房運転を行うと共に、副浴室空調装置２Ｂの副制御部５Ｂに暖房運転の運転開始指令を出す。
【０１６８】
主浴室空調装置２Ａは、暖房運転では、循環ファンユニット１０Ａのファンモータ１２ａとヒータ１５が駆動され、フロントパネル４０Ａの吸込グリル４１から浴室１０１の空気が吸い込まれ、温風ＨＡがフロントパネル４０Ａの吹出口１３ａから浴室１０１内に吹き出される。
【０１６９】
副浴室空調装置２Ｂの副制御部５Ｂは、主浴室空調装置２Ａの主制御部５Ａから暖房運転の運転開始指令を受けると、副浴室空調装置２Ｂを制御して暖房運転を行う。
【０１７０】
副浴室空調装置２Ｂは、暖房運転では、循環ファンユニット１０Ｂのファンモータ１２ａとヒータ１５が駆動され、フロントパネル４０Ｂの吸込グリル４１から浴室１０１の空気が吸い込まれ、温風ＨＡがフロントパネル４０Ｂの吹出口１３ａから浴室１０１内に吹き出される。
【０１７１】
主浴室空調装置２Ａの主制御部５Ａは、温度検出センサ３８で浴室１０１内の温度を検出し、浴室１０１内の温度が所定の温度になったと判断すると、ミスト発生装置３のミスト制御部７にミスト運転の運転開始指令を出す。
【０１７２】
ミスト発生装置３のミスト制御部７は、主浴室空調装置２Ａの主制御部５Ａからのミスト運転の運転開始指令を受けると、制御弁ユニット３Ｃを制御して、まず排水運転を行う。
【０１７３】
排水運転では、ミスト発生装置３のミスト制御部７は、制御弁ユニット３Ｃの給湯切替電磁弁５９ａと排水切替電磁弁５９ｃを開く。これにより、給湯装置８から供給された温水ＨＷがドレン配管５５ｃから排水される。このとき、供給切替電磁弁５９ｂは閉じており、ノズルユニット３Ａ及びノズルユニット３Ｂからミストの噴出は行われない。
【０１７４】
ミスト発生装置３のミスト制御部７は、排水運転を開始すると、水温検出センサ６０で給湯装置８から供給される温水ＨＷの水温を検出する。
【０１７５】
ミスト発生装置３のミスト制御部７は、上述した排水運転で給湯装置８から供給される温水ＨＷの水温が所定のミスト噴出適合温度以上になったと判断すると、ミストを噴出するため、制御弁ユニット３Ｃの給湯切替電磁弁５９ａは開いた状態で、排水切替電磁弁５９ｃを閉じると共に、供給切替電磁弁５９ｂを開く。
【０１７６】
供給切替電磁弁５９ｂを開くと、給湯装置８から供給された所定の温度の温水ＨＷがノズルユニット３Ａ及びノズルユニット３Ｂに供給され、ノズルユニット３Ａ及びノズルユニット３ＢからミストＭが噴出される。
【０１７７】
これにより、ミスト暖房運転モードでは、主浴室空調装置２Ａと副浴室空調装置２Ｂが連動して温風ＨＡが吹き出されると共に、ミスト発生装置３のノズルユニット３Ａとノズルユニット３ＢからミストＭが噴出され、２台の空調装置で浴室１０１の加湿暖房が行われる。
【０１７８】
ここで、ミスト暖房運転モードでも、主浴室空調装置２Ａは、主操作部４のルーバボタン７７が操作されることで、温風ＨＡの吹き出す方向が切り替えられるようにしても良い。
【０１７９】
例えば、温風ＨＡの吹き出す方向を、入浴者等の要求に応じて浴槽１０１ａ側に設定することで、温風ＨＡの流れによってミストＭを浴槽１０１ａ側に噴出することが可能である。また、温風ＨＡの吹き出す方向を洗い場１０１ｂ側に設定することで、温風ＨＡの流れによってミストＭを洗い場１０１ｂ側に噴出することが可能である。更に、温風ＨＡの吹き出す方向を浴槽１０１ａ側と洗い場１０１ｂ側との間でスイングさせることで、温風ＨＡの流れによってミストＭの噴出方向を浴槽１０１ａ側と洗い場１０１ｂ側との間でスイングさせることも可能である。
【０１８０】
これに対して、副浴室空調装置２Ｂは、温風ＨＡの吹き出す方向が、例えば、直下の洗い場１０１ｂに向けて固定されており、温風ＨＡの流れによってミストＭを洗い場１０１ｂに向けて噴出することが可能である。
【０１８１】
ミスト暖房運転モードの停止は、主操作部４の暖房運転選択ボタン７１の操作あるいは停止ボタン７６の操作で選択され、主浴室空調装置２Ａの主制御部５Ａは、主浴室空調装置２Ａを制御して暖房運転を停止すると共に、副浴室空調装置２Ｂの副制御部５Ｂに暖房運転の運転停止指令を出す。また、ミスト発生装置３のミスト制御部７にミスト運転の運転停止指令を出す。
【０１８２】
副浴室空調装置２Ｂの副制御部５Ｂは、主浴室空調装置２Ａの主制御部５Ａから暖房運転の運転停止指令を受けると、副浴室空調装置２Ｂを制御して暖房運転を停止する。
【０１８３】
また、ミスト発生装置３のミスト制御部７は、主浴室空調装置２Ａの主制御部５Ａからミスト運転の運転停止指令を受けると、制御弁ユニット３Ｃを制御してミスト運転を停止する。ミスト運転の停止動作は、図７及び図８で説明した動作を行うことで、残水を滞留させない状態とすることができる。
【０１８４】
ここで、ミスト暖房運転モードでは、主浴室空調装置２Ａで暖房運転を開始した後、所定時間経過後に副浴室空調装置２Ｂの運転を開始しても良い。これにより、ヒータ通電時のピーク電流が軽減される。
【０１８５】
なお、ミスト暖房運転モードは、ミスト操作部６のミスト運転選択ボタン８１を操作することでも選択可能である。ミスト操作部６のミスト運転選択ボタン８１の操作でミスト暖房運転モードが選択されると、ミスト発生装置３のミスト制御部７は、主浴室空調装置２Ａの主制御部５Ａに暖房運転の運転開始指令を出す。
【０１８６】
これにより、主浴室空調装置２Ａの主制御部５Ａは、主浴室空調装置２Ａを制御して暖房運転を行うと共に、副浴室空調装置２Ｂの副制御部５Ｂに暖房運転の運転開始指令を出すことで、主操作部４での操作の場合と同様に、主浴室空調装置２Ａと副浴室空調装置２Ｂが連動して浴室１０１の暖房が行われる。
【０１８７】
更に、主浴室空調装置２Ａの主制御部５Ａは、浴室１０１内の温度が所定の温度になったと判断すると、ミスト発生装置３のミスト制御部７にミスト運転の運転開始指令を出すことで、ミスト発生装置３でミストＭが噴出される。
【０１８８】
（ｆ）２４時間換気運転モード
主操作部４の２４時間換気運転選択ボタン７５が操作され、２４時間換気運転モードが選択されると、主浴室空調装置２Ａの主制御部５Ａは、主浴室空調装置２Ａを制御して換気運転を行う。
【０１８９】
主浴室空調装置２Ａは、換気運転では、吸込口ダンパ３２ａを開閉するダンパモータ３２ｂと、換気ファンユニット２０のファンモータ２２ａが駆動される。換気吸込口３２を開くと、フロントパネル４０Ａの吸込グリル４１から浴室１０１の空気が吸い込まれると共に、洗面脱衣所１０２及び図示しないトイレの空気が副吸込グリル３５ｃから吸い込まれ、屋外へ排出される。
【０１９０】
主浴室空調装置２Ａの主制御部５Ａは、２４時間換気運転モードでは、副浴室空調装置２Ｂを動作させないため、副浴室空調装置２Ｂへの運転開始指令は出さない。
【０１９１】
これにより、２４時間換気運転モードでは、主浴室空調装置２Ａで浴室１０１を含む図示しない建物の換気が行われる。
【０１９２】
ここで、２４時間換気運転中に暖房運転モードが選択されると、吸込口ダンパ３２ａを開閉するダンパモータ３２ｂを駆動して換気吸込口３２を閉じ、上述した暖房運転と換気運転が行われる。これにより、浴室１０１内の暖められた空気を排出することなく、換気運転が継続される。
【０１９３】
２４時間換気運転モードは常時実行される運転モードであり、通常は停止しないが、主操作部４の２４時間換気運転選択ボタン７５の操作あるいは停止ボタン７６の操作で停止することも可能である。主操作部４の２４時間換気運転選択ボタン７５の操作あるいは停止ボタン７６の操作で、２４時間換気運転モードの停止が選択されると、主浴室空調装置２Ａの主制御部５Ａは、主浴室空調装置２Ａを制御して換気運転を停止する。
【０１９４】
＜本実施の形態の空調システムの効果例＞
以上説明したように、本実施の形態の空調システム１Ａでは、浴室１０１に主浴室空調装置２Ａと副浴室空調装置２Ｂを備え、運転モードに応じて主浴室空調装置２Ａと副浴室空調装置２Ｂとを連動させることで、床面積が１．２５坪以上といった広い浴室１０１であっても、大出力で大型の暖房機を用いることなく、比較的小さい出力の暖房機で十分な暖房能力と乾燥能力を発揮することができる。
【０１９５】
特に、浴槽１０１ａの上側と洗い場１０１ｂの上側にそれぞれ空調装置を設置すると、暖房運転モードでは、浴室１０１の全体に温風を行き渡らせることができ、浴室１０１の全体を暖めることができる。
【０１９６】
更に、主浴室空調装置２Ａと副浴室空調装置２Ｂは、１台の主操作部４で操作が可能で、かつ、運転モードに応じて副浴室空調装置２Ｂの運転と非運転や、実行すべき運転モードが自動的に切り替えられるので、簡単な操作で運転モードに応じた最適な制御を行うことができる。
【０１９７】
また、主浴室空調装置２Ａと副浴室空調装置２Ｂは、一般的な浴室暖房換気乾燥機を流用し、通信機能を追加することで実現できるので、複数の空調装置を備える空調システム１Ａを、低コストで提供できる。
【０１９８】
更に、副浴室空調装置２Ｂは、主浴室空調装置２Ａの暖房能力を補う目的で設置されるので、換気機能を持たない構成で良く、副浴室空調装置の低コスト化が可能である。
【０１９９】
また、副浴室空調装置２Ｂに対する換気のための配管の施工も不要となるので、複数の空調装置を備える空調システム１Ａを、一層低コストで提供できる。
【０２００】
更に、浴室１０１の天井パネル１１０に備えられる点検口１１１を挟んで主浴室空調装置２Ａと副浴室空調装置２Ｂを設置することで、設置作業や設置後の保守作業が１つの点検口から行うことができ、浴室１０１の美観を損なうことがない。
【０２０１】
また、ミスト発生装置３を備えることで、浴室１０１の加湿暖房が可能になると共に、ミストを噴出するノズルユニットを主浴室空調装置２Ａと副浴室空調装置２Ｂのそれぞれに対応して設置することで、浴室１０１の全体にミストを噴出することができる。
【０２０２】
また、ミストの噴出を制御する制御弁ユニット３Ｃは１台とし、配管を分岐して複数のノズルユニットを接続することで、ミスト発生装置３の低コスト化が可能である。
【０２０３】
＜本実施の形態の空調システムの変形例＞
以上説明した浴室空調システム１Ａでは、主浴室空調装置２Ａと副浴室空調装置２Ｂをそれぞれ１台ずつ設置したが、浴室１０１の床面積や天井高さ等の条件に応じて、複数台設置しても良い。
【０２０４】
また、主浴室空調装置２Ａを洗い場１０１ｂの上側に設置すると共に、副浴室空調装置２Ｂを浴槽１０１ａの上側に設置しても良い。
【０２０５】
更に、副浴室空調装置２Ｂは、一般的な浴室暖房換気乾燥機の流用ではなく、他の暖房機器でも代用可能で、例えば、パネル式暖房機や浴室用床暖房機等の異種類の暖房機器との連動も可能である。
【０２０６】
これに対して、副浴室空調装置２Ｂに換気機能や電動ルーバを備えて、主浴室空調装置２Ａと同等の機能を持たせても良い。
【０２０７】
また、各空調装置に対応して設置されるミストのノズルユニット毎に制御弁ユニットを備えて、ミストを噴出する位置を切り替えられるようにしても良い。
【０２０８】
更に、浴室１０１内で入浴者等の居場所を検出する人感センサを備え、電動ルーバの動作で、風及びミストがスポット的に人に当たるように制御したり、風及びミストが人に当たらないように制御しても良い。
【産業上の利用可能性】
【０２０９】
本発明は、大型のユニットバス等の高い暖房能力を要求される環境に対応できる浴室暖房換気乾燥機に適用される。
【図面の簡単な説明】
【０２１０】
【図１】本実施の形態の空調システムの一例を示す構成図である。
【図２】本実施の形態の空調システムの一例を示す構成図である。
【図３】本実施の形態の主浴室空調装置の一例を示す構成図である。
【図４】本実施の形態の副浴室空調装置の一例を示す構成図である。
【図５】ミスト発生装置を構成するノズルユニットの一例を示す構成図である。
【図６】ミスト発生装置を構成する制御弁ユニットの一例を示す構成図である。
【図７】制御弁ユニットの動作説明図である。
【図８】制御弁ユニットの動作説明図である。
【図９】本実施の形態の空調システムの制御系の一例を示す機能ブロック図である。
【図１０】主操作部の一例を示す構成図である。
【図１１】ミスト操作部の一例を示す構成図である。
【符号の説明】
【０２１１】
１Ａ・・・空調システム、２Ａ・・・主浴室空調装置、２Ｂ・・・副浴室空調装置、３・・・ミスト発生装置、３Ａ・・・主ミストノズル、３Ｂ・・・副ミストノズル、３Ｃ・・・制御弁ユニット、４・・・主操作部、５Ａ・・・主制御部、５Ｂ・・・副制御部、６・・・ミスト操作部、７・・・ミスト制御部、８・・・給湯装置、１０Ａ，１０Ｂ・・・循環ファンユニット、１４・・・電動ルーバ、２０・・・換気ファンユニット、４０Ａ，４１Ｂ・・・フロントパネル、１０１・・・浴室
【図１】
2008051353.tif 000004
【図２】
2008051353.tif 000005
【図３】
2008051353.tif 000006
【図４】
2008051353.tif 000007
【図５】
2008051353.tif 000008
【図６】
2008051353.tif 000009
【図７】
2008051353.tif 000010
【図８】
2008051353.tif 000011
【図９】
2008051353.tif 000012
【図１０】
2008051353.tif 000013
【図１１】
2008051353.tif 000014